(57)【要約】【課題】複数の集積部に集積する紙葉類の種類を設定する操作を容易にする。【解決手段】紙幣を処理可能な紙葉類処理装置を、紙幣を１枚ずつ搬送する搬送部と、搬送部が搬送する紙幣を識別する識別部と、識別部が識別した紙幣を集積する複数の集積部と、金種数の指定を受け付けたことに基づいて、指定された金種数の紙幣を金種別に分類集積できるように各集積部にｎ種（ｎ：１以上の自然数）の金種を１金種ずつ割り当てた集積パターンを生成する制御部とによって構成する。【選択図】図４
2018018441.tif 000002
【特許請求の範囲】
【請求項１】
紙幣を１枚ずつ搬送する搬送部と、
前記搬送部が搬送する紙幣を識別する識別部と、
前記識別部が識別した紙幣を集積する複数の集積部と、
金種数の指定を受け付けたことに基づいて、指定された金種数の紙幣を金種別に分類集積できるように各集積部にｎ種（ｎ：１以上の自然数）の金種を１金種ずつ割り当てた集積パターンを生成する制御部と
を備える紙葉類処理装置。
【請求項２】
分類項目は、紙幣種別を含み、
金種数は、分類項目である金種についての紙幣種別の数であり、
前記制御部は、金種数の指定に加え、金種以外の分類項目の指定と、金種以外の前記分類項目に含まれる紙幣種別の指定とを受け付けたことに基づいて、指定された紙幣種別で紙幣を分類集積できるように各集積部に前記紙幣種別を１種類ずつ割り当てた前記集積パターンを生成する請求項１に記載の紙葉類処理装置。
【請求項３】
金種以外の前記分類項目として、紙幣の新旧、正損、方向のうち少なくとも１つの指定を受付可能である請求項２に記載の紙葉類処理装置。
【請求項４】
前記制御部は、前記集積部の数より少ない金種数が指定された場合には、複数の集積部に同一金種を割り当てることにより全ての集積部に金種を割り当てる請求項２又は３に記載の紙葉類処理装置。
【請求項５】
前記制御部は、同一金種を割り当てた集積部の数より少ない前記紙幣種別の数が指定された場合には、同一金種を割り当てた前記集積部を対象に、複数の集積部に同一の紙幣種別を割り当てることにより全ての集積部に紙幣種別を割り当てる請求項４に記載の紙葉類処理装置。
【請求項６】
前記金種数、前記分類項目及び前記紙幣種別を指定する入力を受け付けるための操作部
をさらに備える請求項２〜５のいずれか1項に記載の紙葉類処理装置。
【請求項７】
前記制御部が生成した集積パターンの設定内容は、前記操作部が操作されることにより変更可能である請求項６に記載の紙葉類処理装置。
【請求項８】
前記制御部は、生成した集積パターンについて金種、分類項目及び紙幣種別のうち少なくともいずれか１つを変更する入力操作を受付可能である請求項７に記載の紙葉類処理装置。
【請求項９】
前記集積パターンに基づいた紙幣処理が開始されると、
前記制御部は、
前記識別部による識別でｎ番目（ｎ：１以上の自然数）に得られ、かつ、前記集積部に未だ割り当てられていない金種を、前記集積パターンで第ｎ金種が割り当てられている集積部に割り当てる請求項２〜８のいずれか１項に記載の紙葉類処理装置。
【請求項１０】
複数の分類項目は、各々、紙幣種別を含み、
前記制御部は、
各紙幣種別における設定数を乗算した値が前記紙葉類処理装置に設けられた集積部の総数を超える指定となる入力操作は受け付けない請求項２〜９のいずれか１項に記載の紙葉類処理装置。
【請求項１１】
集積部に係る情報を表示するための表示部
をさらに備え、
前記分類項目が指定されると、前記制御部が、指定された分類項目で選択可能な紙幣種別の選択肢を前記表示部に表示する請求項２〜１０のいずれか１項に記載の紙葉類処理装置。
【請求項１２】
前記制御部は、前記操作部で選択肢を選択する操作に応じて、さらに選択可能な選択肢と選択不可能な選択肢とを区別できるように前記表示部の表示を更新する
請求項１１に記載の紙葉類処理装置。
【請求項１３】
前記制御部は、前記集積パターンで各集積部に割り当てた金種及び紙幣種別を前記表示部に表示する請求項１１又は１２に記載の紙葉類処理装置。
【請求項１４】
紙葉類を１枚ずつ搬送する搬送部と、
前記搬送部が搬送する紙葉類を識別する識別部と、
前記識別部が識別した紙葉類を集積する複数の集積部と、
第１分類項目の種類の数の指定を受け付けたことに基づいて、指定された前記第１分類項目の種類の数の紙葉類を種類別に分類集積できるように各集積部にｎ種（ｎ：１以上の自然数）を１種類ずつ割り当てた集積パターンを生成する制御部と
を備える紙葉類処理装置。
【発明の詳細な説明】
【技術分野】
【０００１】
この発明は、紙葉類の種類を識別して複数の集積部に種類別に分類して集積する紙葉類処理装置に関する。
【背景技術】
【０００２】
従来、紙葉類の種類を識別して、複数の集積部に種類別に分類して集積する紙葉類処理装置が利用されている。例えば、銀行等の金融機関では、紙幣を識別計数する紙幣処理装置が利用されている。紙幣処理装置は、紙幣を１枚ずつ装置内に取り込んで、金種、真偽、正損等の種類を識別する。複数の集積部を有する紙幣処理装置を利用すれば、紙幣の識別結果に基づいて、紙幣を種類別に分類して各集積部に集積することができる。
【０００３】
例えば、特許文献１には、複数の集積部を有する紙葉類処理装置が開示されている。装置利用者は、複数の集積部のそれぞれに集積する紙幣の金種、正損、方向等を予め設定することができる。利用者が各集積部に集積する紙幣の種類を設定すると、紙葉類処理装置は、紙幣を１枚ずつ識別して、識別結果に基づいて対応する集積部に集積する。これにより、紙幣を種類別に分類することができる。
【先行技術文献】
【特許文献】
【０００４】
【特許文献１】特開２００６−２０２０３６号公報
【発明の概要】
【発明が解決しようとする課題】
【０００５】
しかしながら、上記従来技術によれば、集積する紙幣の種類を集積部毎に設定する必要があり手間がかかるという問題があった。各集積部について、金種、正損、方向等、集積する紙幣の種類を設定する必要があり、集積部の数が多くなると設定操作にかかる時間も長くなる。このため、複数の集積部に集積する紙幣の種類を容易に設定可能な装置が望まれていた。
【０００６】
本発明は、上述した従来技術による問題点を解消するためになされたもので、複数集積部に分類して集積する紙葉類の種類を容易に設定可能な紙葉類処理装置を提供することを目的とする。
【課題を解決するための手段】
【０００７】
上述した課題を解決し、目的を達成するため、本発明は、紙葉類処理装置であって、紙幣を１枚ずつ搬送する搬送部と、前記搬送部が搬送する紙幣を識別する識別部と、前記識別部が識別した紙幣を集積する複数の集積部と、金種数の指定を受け付けたことに基づいて、指定された金種数の紙幣を金種別に分類集積できるように各集積部にｎ種（ｎ：１以上の自然数）の金種を１金種ずつ割り当てた集積パターンを生成する制御部とを備える。
【０００８】
また、上記発明において、分類項目は、紙幣種別を含み、金種数は、分類項目である金種についての紙幣種別の数であり、前記制御部は、金種数の指定に加え、金種以外の分類項目の指定と、金種以外の前記分類項目に含まれる紙幣種別の指定とを受け付けたことに基づいて、指定された紙幣種別で紙幣を分類集積できるように各集積部に前記紙幣種別を１種類ずつ割り当てた前記集積パターンを生成する。
【０００９】
また、上記発明において、金種以外の前記分類項目として、紙幣の新旧、正損、方向のうち少なくとも１つの指定を受付可能である。
【００１０】
また、上記発明において、前記制御部は、前記集積部の数より少ない金種数が指定された場合には、複数の集積部に同一金種を割り当てることにより全ての集積部に金種を割り当てる。
【００１１】
また、上記発明において、前記制御部は、同一金種を割り当てた集積部の数より少ない前記紙幣種別の数が指定された場合には、同一金種を割り当てた前記集積部を対象に、複数の集積部に同一の紙幣種別を割り当てることにより全ての集積部に紙幣種別を割り当てる。
【００１２】
また、上記発明において、前記金種数、前記分類項目及び前記紙幣種別を指定する入力を受け付けるための操作部をさらに備える。
【００１３】
また、上記発明において、前記制御部が生成した集積パターンの設定内容は、前記操作部が操作されることにより変更可能である。
【００１４】
また、上記発明において、前記制御部は、生成した集積パターンについて金種、分類項目及び紙幣種別のうち少なくともいずれか１つを変更する入力操作を受付可能である。
【００１５】
また、上記発明において、前記集積パターンに基づいた紙幣処理が開始されると、前記制御部は、前記識別部による識別でｎ番目（ｎ：１以上の自然数）に得られ、かつ、前記集積部に未だ割り当てられていない金種を、前記集積パターンで第ｎ金種が割り当てられている集積部に割り当てる。
【００１６】
また、上記発明において、複数の分類項目は、各々、紙幣種別を含み、前記制御部は、各紙幣種別における設定数を乗算した値が前記紙葉類処理装置に設けられた集積部の総数を超える指定となる入力操作は受け付けない。
【００１７】
また、上記発明において、集積部に係る情報を表示するための表示部をさらに備え、前記分類項目が指定されると、前記制御部が、指定された分類項目で選択可能な紙幣種別の選択肢を前記表示部に表示する。
【００１８】
また、上記発明において、前記制御部は、前記操作部で選択肢を選択する操作に応じて、さらに選択可能な選択肢と選択不可能な選択肢とを区別できるように前記表示部の表示を更新する。
【００１９】
また、上記発明において、前記制御部は、前記集積パターンで各集積部に割り当てた金種及び紙幣種別を前記表示部に表示する。
【００２０】
また、本発明は、紙葉類処理装置であって、紙葉類を１枚ずつ搬送する搬送部と、前記搬送部が搬送する紙葉類を識別する識別部と、前記識別部が識別した紙葉類を集積する複数の集積部と、第１分類項目の種類の数の指定を受け付けたことに基づいて、指定された前記第１分類項目の種類の数の紙葉類を種類別に分類集積できるように各集積部にｎ種（ｎ：１以上の自然数）を１種類ずつ割り当てた集積パターンを生成する制御部とを備える。
【発明の効果】
【００２１】
本発明によれば、紙葉類処理装置を操作する操作者は、複数種類の紙葉類を種類別に分類する集積パターンを設定する際に、分類したい紙葉類の種類の数を入力するだけでよい。操作者の入力を受けて、制御部が、全種類の紙葉類を分類集積できるように、複数集積部のそれぞれに集積する紙葉類の種類を設定した集積パターンを生成する。従来のように複数集積部のそれぞれに集積する紙葉類の種類を１つずつ設定する操作が不要であるため、操作者は集積パターンを容易に設定することができる。
【図面の簡単な説明】
【００２２】
【図１】図１は、本実施形態に係る紙幣処理装置の構造を説明するための図である。
【図２】図２は、紙幣処理装置の機能構成概略を示すブロック図である。
【図３】図３は、集積パターンの設定時に操作表示部に表示される画面例を示す図である。
【図４】図４は、金種数及び正損を指定して集積パターンを設定する際の画面例を示す図である。
【図５】図５は、金種数及び新旧を指定して集積パターンを設定する際の画面例を示す図である。
【図６】図６は、金種数、新旧及び正損を指定して集積パターンを設定する際の画面例を示す図である。
【図７】図７は、図３〜図６に示す設定画面で設定した集積パターンを示す図である。
【図８】図８は、基本モジュールに拡張モジュールを連結した紙幣処理装置の例を示す模式図である。
【図９】図９は、拡張モジュールを含む全ての集積部を対象に集積パターンを設定する第１の方法の画面例を示す図である。
【図１０】図１０は、モジュール別に金種数等を指定して集積パターンを設定する第２の方法の画面例を示す図である。
【図１１】図１１は、図９及び図１０に示す設定画面で設定した集積パターンを示す図である。
【図１２】図１２は、紙幣処理中に操作表示部に表示される画面例を示す図である。
【図１３】図１３は、バックアップ設定の例を示す図である。
【発明を実施するための形態】
【００２３】
以下に、添付図面を参照して、本発明に係る紙葉類処理装置について詳細に説明する。紙葉類処理装置が処理対象とする紙葉類の種類は特に限定されないが、本実施形態では、紙幣を処理対象とする紙幣処理装置を例に説明する。
【００２４】
まず、本実施形態に係る紙幣処理装置の構成について説明する。図１は、本実施形態に係る紙幣処理装置１の構造を説明するための図である。図１（ａ）は紙幣処理装置１の正面図を模式的に示す図である。図１（ｂ）は紙幣処理装置１の内部構造概略を示すブロック図である。図１（ａ）に示すように、紙幣処理装置１は、取込部１０、操作表示部２０、リジェクト部３０及び集積部４０を有する。集積部４０は、水平方向に並べて配置された第１集積部４０ａ〜第４集積部４０ｄの４つの集積部を備える。
【００２５】
操作表示部２０は、紙幣処理装置１の前面で、第１集積部４０ａ〜第４集積部４０ｄの上方の水平方向略中央位置に配置されている。操作表示部２０は、例えば、タッチパネル式の液晶表示装置から成る。操作表示部２０は、画面上にボタンを表示して、該ボタンによる各種情報の入力を受け付ける操作部として機能する。操作表示部２０は、集積パターンを含む各種設定情報、集積部４０に集積中の紙幣枚数を含む紙幣処理関連情報等、各種情報を画面上に表示する表示部としても機能する。
【００２６】
操作表示部２０を操作して紙幣処理を実行する操作者は、処理対象とする紙幣を取込部１０に載置する。取込部１０は、操作者が載置した複数の紙幣を１枚ずつ装置内に取り込む。リジェクト部３０は、紙幣処理装置１で識別できない紙幣等、リジェクト紙幣を集積する。集積部４０は、紙幣処理装置１で識別できた正常紙幣を集積する。集積部４０は、装置前面側に、内部の集積空間に集積された紙幣を抜き取るための開口部を有する。操作者は、集積部４０に集積中の紙幣を開口部から抜き取ることができる。
【００２７】
図１（ｂ）に示すように、取込部１０、リジェクト部３０、集積部４０、及び識別部５０は、それぞれ搬送部６０に接続されている。識別部５０は、例えば、紙幣画像を取得するラインセンサ、紙幣の厚みを検知する厚み検知センサ、紙幣の磁気特性を検知する磁気検知センサ等、複数のセンサを有する。識別部５０は、これらのセンサによって得られた紙幣の光学特性、磁気特性、厚み等に基づいて、紙幣の金種、真偽、正損、方向（表裏及び天地）等を識別する。
【００２８】
搬送部６０によって搬送される紙幣は、識別部５０を通過した後、識別部５０による識別結果に応じてリジェクト部３０又は集積部４０に集積される。リジェクト紙幣は、リジェクト部３０に集積される。リジェクト紙幣とは、識別部５０が種類を識別できない紙幣、識別部５０が偽の紙幣であると識別した紙幣等を示す概念である。識別部５０が金種等を正常に識別した正常紙幣は、集積部４０に集積される。
【００２９】
図２は、紙幣処理装置１の機能構成概略を示すブロック図である。紙幣処理装置１は、図１に示した各構成部と、これらを制御する制御部７０と、記憶部８０とを有する。紙幣処理装置１で実行される各処理は、制御部７０が各部を制御することによって実現される。制御部７０は、ＣＰＵ（Ｃｅｎｔｒａｌ  Ｐｒｏｃｅｓｓｉｎｇ  Ｕｎｉｔ）により構成されている。制御部７０は、所定のプログラムに基づいて、紙幣処理装置１における各種制御処理を行う。記憶部８０は、例えば、半導体メモリ等から成る不揮発性の記憶装置で、内部には、集積部４０に集積する紙幣の種類を設定した集積パターンが保存される。記憶部８０は、この他、制御部７０の動作に必要な各種情報、紙幣処理装置１で行われた紙幣処理に関する情報等の保存にも利用される。
【００３０】
次に、紙幣処理装置１における集積パターンの設定方法について説明する。図３は、集積パターンの設定時に操作表示部２０に表示される画面例を示す図である。操作者が、集積パターンを設定する操作を進めると、操作表示部２０の画面表示が図３（ａ）、図３（ｂ）、図３（ｃ）と遷移する。
【００３１】
操作者が、操作表示部２０を操作して集積パターンの設定を開始すると、操作表示部２０の画面上に、図３（ａ）に示す設定画面が表示される。設定画面には、集積パターンの番号を示すタブ１００と、分類項目と、装置画像１０３とが表示される。例えば、画面上部のタブ１００に対応する第１集積パターン〜第１０集積パターンの１０個の集積パターンは、記憶部８０に保存されている。制御部７０は、記憶部８０にアクセスし、記憶部に保存された情報を使用することができる。
【００３２】
操作者は、画面上部のタブ１００で集積パターンの番号を選択して、各集積パターンを設定することができる。タブ１００は、集積パターンを呼び出す、ショートカットタブ（ショートカットキー）として機能する。図３は、第１集積パターンを設定する画面を示している。
【００３３】
設定画面の分類項目は、紙幣の分類に利用する種類を指定するための項目である。操作者は、紙幣を分類するために、金種、新旧、正損、方向の４つの分類項目の中から１つを選択することができる。例えば、操作者は、金種の分類項目のみを選択することもできるし、金種の分類項目に加えて新旧、正損、方向の分類項目のうち少なくとも１つを選択することもできる。各項目の左側には、集積パターンで利用する分類項目を選択するためのチェックボックスが表示される。
【００３４】
設定画面には、紙幣処理装置１の外観を模式的に示した装置画像１０３が表示される。集積パターンで第１集積部４０ａ〜第４集積部４０ｄに割り当てられた紙幣の種類が、装置画像１０３上の対応する集積部の位置に表示されるようになっている。
【００３５】
例えば、同一金種の複数紙幣が表裏の方向及び天地の方向が混在した状態にあり、操作者が、これらの紙幣の表裏及び天地を揃えたい場合がある。紙幣を方向別に分類して、１つの集積部４０に表裏及び天地の向きが同一の紙幣のみを集積すれば、操作者は、方向別に分類された紙幣を集積部４０から抜き取って全ての紙幣の方向を揃えることができる。このような場合に、同一金種の紙幣を、紙幣の方向に応じて各集積部に分類して集積するため、操作者は、図３（ａ）に示す設定画面で操作を開始する。
【００３６】
操作者が集積パターンの設定操作を開始すると、操作者が最初に金種に係る設定を行うように、制御部７０は、金種のチェックボックス１０１にチェックを入れた状態で設定画面を表示する。図３（ａ）に示すように、設定画面では、金種の項目名の右側に、金種の数を指定するための入力枠１０２が表示される。
【００３７】
操作者は、操作表示部２０を操作して、入力枠１０２に、紙幣処理装置１で処理する紙幣の金種数を入力する。紙幣処理装置１で同一金種の紙幣を処理する場合、操作者は、入力枠１０２に「１」と入力する。
【００３８】
操作者が金種数を「１」と指定すると、制御部７０は、第１集積部４０ａ〜第４集積部４０ｄに同一金種を割り当てる。この割り当てを示すため、制御部７０は、図３（ｂ）に示すように装置画像１０３の第１集積部４０ａ〜第４集積部４０ｄを示す位置に、第１金種を割り当てたことを示す「１ｓｔ」の文字を表示する。ここで集積部４０に割り当てられる「第１金種」とは、例えば日本紙幣の万円券、千円券等のように固定された金種を示すものではなく、識別部５０が１番目に識別した紙幣金種である。識別部５０が最初に識別した紙幣の金種が万円券であれば万円券が第１金種となり、千円券であれば千円券が第１金種となる。
【００３９】
制御部７０は、操作表示部２０で行われる操作を監視している。言い換えると、制御部７０は、操作表示部２０で行われる操作を常時受け付けている。制御部は７０、操作者が指定した金種数が、紙幣処理装置１の集積部４０の数を超える場合は、これを報知する。具体的には、例えば操作者が金種数を「５」と指定しても、４つの集積部４０で５金種の紙幣を金種別に分類して集積することはできない。このため、制御部７０は、この指定を受け付けない。この指定を受け付けない際に、制御部７０は、例えば、金種数が集積部の数を超えているため４金種以下の金種数を指定するよう促すメッセージを操作表示部２０に表示して誤操作を報知する制御を行ってもよい。報知を受けた操作者は、表示内容を確認して、４金種以下の金種数を再入力することができる。このように、制御部７０は、設定不可能な内容が指定されないように操作者による操作を監視して、必要に応じて報知処理を実行する。これにより、操作者は、操作表示部２０の画面表示を確認しながら、容易に集積パターンの設定を進めることができる。
【００４０】
金種数を指定した後、表裏及び天地の方向に応じて紙幣を分類したい操作者は、操作表示部２０を操作して、図３（ｂ）に示すように、方向の分類項目のチェックボックス１０４にチェックを入れる。これを受けて、制御部７０は、方向の分類項目で選択可能な選択肢１０５を画面上に表示する。選択肢１０５には、方向の分類項目で操作者が選択可能な紙幣種別（方向の種類）が表示される。すなわち、操作者が分類項目を指定すると、制御部７０は、指定された分類項目で選択可能な紙幣種別を画面上に表示する。また、制御部７０は、指定されていない分類項目に属する紙幣種別は画面上に表示しないように画面上の表示を制御する。図３（ｂ）の例では、例えば、新旧の項目（分類項目）が選択されていないため、正券及び損券の項目（紙幣種別）の項目が表示されていない。
【００４１】
図３（ｂ）では、選択肢１０５として「Ａ方向」等の紙幣種別が表示されているが、紙幣種別として表示される各方向が、どのような紙幣を示すかについては、予め設定されている。例えば、紙幣処理装置１内で、長辺を搬送方向前方として搬送される紙幣が、肖像画が印刷された面を上に向けて、肖像画の頭を搬送方向前方として搬送される状態をＡ方向とするよう設定されている。同様に、肖像画が印刷された面を上に向けて肖像画の頭を搬送方向後方として搬送される紙幣をＢ方向、肖像画が印刷された面を下に向けて肖像画の頭を搬送方向後方として搬送される紙幣をＣ方向、肖像画が印刷された面を下に向けて肖像画の頭を搬送方向前方として搬送される紙幣をＤ方向とするよう設定されている。
【００４２】
新旧の分類項目についても、識別部５０で識別された紙幣の発行年に応じて、紙幣種別を新券とするか旧券とするかが予め設定されている。同様に、正損についても、識別部５０で識別された紙幣の状態に応じて、紙幣種別を、状態のよい正券とするか状態のよくない損券とするかが予め設定されている。紙幣処理時には、識別部５０が、金種に加えて、方向、新旧、正損等に属する紙幣種別を識別する。制御部７０は、識別部５０による識別結果と、集積パターンで各集積部４０に割り当てられた金種及び紙幣種別とに基づいて、紙幣の集積先を決定する。
【００４３】
操作者は、金種の分類項目については金種数を指定して、金種以外の分類項目については各分類項目に属する紙幣種別を指定することができる。分類項目とは、関連する複数の紙幣種別を包括する概念である。紙幣種別とは、紙幣の種類を示し、各紙幣の価値、特徴、状態等を表す概念である。すなわち、「分類項目」は、紙幣の整理するための上位区分（基準）である。「紙幣種別」は、紙幣を整理するための下位区分（基準）であり、分類項目の詳細内容を示すものである。
【００４４】
具体的には、紙幣の新しさを示す新券、旧券等の紙幣種別が、新旧という分類項目に属している。紙幣の傷み具合を示す正券、損券等の紙幣種別が、正損という分類項目に属ししている。Ａ方向、Ｂ方向等の紙幣種別が、方向という分類項目に属している。例えば、日本紙幣を例にとると、異なる価値（万円券、五千円券、二千円券、及び千円券）である複数（４つ）の紙幣種別があり、これらは金種という分類項目に属する。金種の分類項目にチェックが入れられると、万円券等の金種（額面）を指定するのではなく、金種数の入力を受け付けるようになっている。
【００４５】
図３（ｂ）に示すように、画面上に選択肢１０５が表示されると、紙幣の方向を揃えたい操作者は、表裏及び天地の方向に基づいて紙幣を分類集積するため、紙幣種別を選択する操作を行う。具体的には、図３（ｃ）に示すように、操作表示部２０を操作して、Ａ方向、Ｂ方向、Ｃ方向、Ｄ方向のチェックボックスにチェックを入れる。
【００４６】
操作者が選択肢１０５で選択操作を行っている間、制御部７０は、操作者による操作を監視している。言い換えると、制御部７０は、選択肢１０５についての操作を常時受け付けている。制御部７０は、必要に応じて設定画面上の表示を更新する。具体的には、制御部７０は、紙幣処理装置１の集積部４０の数と、先に操作者が指定した金種数とに基づいて、さらに選択可能な紙幣種別と、選択できない紙幣種別とを区別可能に表示する。例えば、金種数が１金種の場合、４つの集積部４０に同一金種が割り当てられて、１つの分類項目に属する最大４種類の紙幣種別を１つずつ各集積部に割り当てることができる。操作者が、Ａ方向、Ｂ方向、Ｃ方向、Ｄ方向の４つの紙幣種別を選択すると紙幣種別が最大数に達し、これ以上、方向の紙幣種別を選択することはできない。このため、制御部７０は、５つ目の紙幣種別を指定する操作を受け付けない。制御部７０は、例えば、選択した紙幣種別の数が、分類可能な紙幣種別の数に達したため、これ以上選択できないことを示すメッセージを操作表示部２０に表示して、操作者に誤操作を報知する。報知を受けた操作者は、表示内容を確認して、紙幣種別の選択変更等の操作を行うことができる。
【００４７】
操作者による指定操作を受け付けない場合の処理を詳細に説明する。操作者が入力した金種数と、各分類項目について選択した紙幣種別の数とを乗算した値が、紙幣処理装置１に設けられた集積部４０の総数を超える指定となる場合、制御部７０は、操作者の入力を受け付けない。例えば、図３（ｃ）に示す例では、入力された金種数が１、選択された分類項目は方向のみで、この方向の分類項目で選択された紙幣種別の数が４であるから、乗算値は４（＝１×４）になる。該乗算値は集積部４０の総数と等しいため、制御部７０は、この入力操作を受け付ける。一方、例えば、図３（ｃ）に示す状態から、操作者が、さらに新旧の分類項目を選択し、新旧の分類項目に属する新券及び旧券の２つの紙幣種別を選択したとする。この場合、金種数が１、方向の分類項目で選択された紙幣種別が４、新旧の分類項目で選択された紙幣種別が２となり、乗算値は８（＝１×４×２）となる。該乗算値は集積部４０の総数を超えるため、制御部７０は、この入力操作を受け付けない。
【００４８】
なお、紙幣種別をこれ以上選択できないことを操作者に報知するために、制御部７０が、操作表示部２０の表示を制御する態様であってもよい。例えば、選択した紙幣種別の数が、分類可能な紙幣種別の数に達すると、制御部７０は、ＡＢ方向等、他の紙幣種別のチェックボックス（図３に示す□の枠）を非表示にする。これにより、操作者は、紙幣種別をこれ以上選択できないことを認識することができる。
【００４９】
このように、制御部７０は、集積パターンを生成するために選択可能な紙幣種別と、選択できない紙幣種別とを区別できるように操作者に報知する。これにより、操作者は、選択可能な紙幣種別の選択肢を、操作表示部２０の画面上で確認しながら、設定操作を容易に進めることができる。
【００５０】
操作者が方向の紙幣種別の選択を終えると、制御部７０は、操作者が選択したＡ方向、Ｂ方向、Ｃ方向、Ｄ方向の紙幣種別を、第１集積部４０ａ〜第４集積部４０ｄのそれぞれに割り当てる。この割り当てを示すため、制御部７０は、図３（ｃ）に示すように装置画像１０３の集積部４０を示す位置に、割り当てた方向を示す「Ａ」、「Ｂ」、「Ｃ」、「Ｄ」の文字を表示する。
【００５１】
金種数、分類項目、及び分類項目に含まれる紙幣種別の指定を終えた操作者は、画面上の装置画像１０３で示された、制御部７０が設定した集積パターンの設定内容を確認する。設定内容に問題がなければ、操作者は、画面下部に表示された設定ボタンを押す操作を行い、設定内容を第１集積パターンとして設定する。また、制御部７０は、図３（ｃ）に示すように第１集積部４０ａ〜第４集積部４０ｄのそれぞれに割り当てた金種及び紙幣種別の設定を、第１集積パターンとして、記憶部８０に保存することもできる（図７参照）。
【００５２】
操作者は、こうして設定した集積パターンを記憶部８０から呼び出して紙幣処理を実行することができる。第１集積パターンにより紙幣処理が開始されると、制御部７０は、識別部５０が最初に識別した紙幣の金種を、第１金種として、第１集積部４０ａ〜第４集積部４０に割り当てる。この紙幣は、識別部５０による識別結果に基づいて、Ａ方向であれば第１集積部４０ａに、Ｂ方向であれば第２集積部４０ｂに、Ｃ方向であれば第３集積部４０ｃに、Ｄ方向であれば第４集積部４０ｄに集積される。続いて処理される紙幣についても、第１金種の紙幣であれば、方向に応じて、対応するいずれかの集積部４０ａ〜４０ｄに集積される。集積部４０に集積できない紙幣は、リジェクト紙幣として、リジェクト部３０にリジェクトされる。この結果、紙幣処理装置１で処理された紙幣のうち第１金種の紙幣が、表裏及び天地の方向に応じて各集積部４０ａ〜４０ｄに分類して集積されることになる。紙幣処理を終えた操作者は、各集積部４０ａ〜４０ｄから紙幣を抜き取って、全ての紙幣の表裏及び天地を揃えることができる。
【００５３】
このように、同一金種の紙幣を方向に応じて分類したい場合、操作者が金種数及び方向の紙幣種別を指定するだけで、制御部７０が、集積する紙幣の金種及び紙幣種別を各集積部に割り当てて集積パターンを生成する。制御部７０は、操作者が誤った操作を行うと操作者にこれを報知したり、選択可能な紙幣種別を操作者が認識できるように画面表示を更新したりすることで操作者の設定操作を支援する。これにより、操作者は、集積パターンを容易に設定することができる。制御部７０が各集積部４０ａ〜４０ｄに割り当てた金種、紙幣種別等の情報は、操作表示部２０の装置画像１０３上に表示されるので、操作者は、集積パターンの設定内容を容易に確認することができる。
【００５４】
図４は、金種数及び正損を指定して集積パターンを設定する際の画面例を示す図である。操作者は、２つの金種の紙幣を金種別に分けて、さらに各金種の紙幣を正券と損券とに分けるため、図４に示すようにタブ１００を切り替えて第２集積パターンとして設定する。
【００５５】
例えば、２つの金種の紙幣を処理する際に、操作者は、金種のチェックボックス１０１にチェックが入った状態で操作表示部２０の操作を開始して、金種数の入力枠１０２に金種数「２」を入力する。続いて正損について設定するため、操作者は、正損のチェックボックス１０６にチェックを入れる。これを受けて、制御部７０が、正損の分類項目で選択可能な選択肢１０７を画面上に表示する。操作者は、各金種の紙幣を正券と損券とに分類するため、選択肢１０７で正券のチェックボックス及び損券のチェックボックスの両方にチェックを入れる。
【００５６】
操作者による少なくとも金種数の指定操作を受け付けるとともに、金種以外の分類項目、及び紙幣種別の指定操作が受け付けられると、制御部７０が集積パターンを自動生成する。制御部７０は、４つの集積部４０に２つの金種の紙幣を分類して集積するため、２つの集積部に同一金種を割り当てる。具体的には、制御部７０は、第１集積部４０ａ及び第２集積部４０ｂに第１金種を割り当て、第３集積部４０ｃ及び第４集積部４０ｄに第２金種を割り当てる。この割り当てを示すため、制御部７０は、図４に示すように装置画像１０３の集積部４０を示す位置に、第１金種を示す「１ｓｔ」の文字と、第２金種を示す「２ｎｄ」の文字とを表示する。
【００５７】
正損の紙幣種別については、各金種の紙幣を正券と損券とに分類するため、制御部７０は、同一金種を割り当てた２つの集積部の一方に正券を割り当てて、他方の集積部に損券を割り当てる。具体的には、制御部７０は、第１金種を割り当てた第１集積部４０ａに正券を割り当て、同じく第１金種を割り当てた第２集積部４０ｂに損券を割り当てる。制御部７０は、第２金種を割り当てた第３集積部４０ｃに正券を割り当て、同じく第２金種を割り当てた第４集積部４０ｄに損券を割り当てる。この割り当てを示すため、制御部７０は、図４に示すように装置画像１０３の集積部４０を示す位置に、正券を示す「正」及び損券を示す「損」の文字を表示する。
【００５８】
操作者は、制御部７０が設定した集積パターンの設定内容を設定画面の装置画像１０３で確認する。上記のように制御部７０により生成された集積パターンの内容を変更する操作を受け付けることもできる。図４では、左側２つの集積部に第１金種が割り当てられて、右側２つの集積部に第２金種が割り当てられている。すなわち、装置の左側と右側とで集積紙幣の金種が異なる設定となっている。例えば、操作者は、装置の左側と右側とで集積紙幣の正損の紙幣種別が異なるように、この設定を変更することができる。具体的には、操作者は、操作表示部２０を操作して、左側２つの集積部４０に正券を割り当てて、右側２つの集積部に損券を割り当てるよう集積パターンの設定を変更することができる。
【００５９】
操作者は、制御部７０が自動設定した集積パターンを、必要に応じて手動で変更して、画面上に表示されている集積パターンの設定内容を確認する。設定内容に問題がないことを確認すると、操作者は、画面下部の設定ボタンを押す操作を行う。これにより、制御部７０は、図４に示すように第１集積部４０ａ〜第４集積部４０ｄのそれぞれに割り当てた金種及び紙幣種別の設定を、第２集積パターンとして設定する。また、制御部７０は、第２集積パターンを記憶部８０に保存することもできる（図７参照）。
【００６０】
第２集積パターンにより紙幣処理が開始されると、制御部７０は、識別部５０が最初に識別した紙幣の金種を、第１金種として、第１集積部４０ａ及び第２集積部４０ｂに割り当てる。この紙幣は、第１金種の紙幣として、識別部５０による識別結果に基づいて正券であれば第１集積部４０ａに集積され、損券であれば第２集積部４０ｂに集積される。紙幣を順に処理する間に、識別部５０で、第１金種とは異なる２つめの金種が識別されると、制御部７０は、これを第２金種として、第３集積部４０ｃ及び第４集積部４０ｄに割り当てる。この紙幣は、第２金種の紙幣として、識別部５０による識別結果に基づいて正券であれば第３集積部４０ｃに集積され、損券であれば第４集積部４０ｄに集積される。続いて処理される第１金種の紙幣は正損の識別結果に応じて第１集積部４０ａ又は第２集積部４０ｂに集積され、第２金種の紙幣も同様に正損の識別結果に応じて第３集積部４０ｃ又は第４集積部４０ｄに集積される。集積部４０に集積できない紙幣は、リジェクト紙幣として、リジェクト部３０にリジェクトされる。この結果、紙幣処理装置１で処理された紙幣は、第１金種の紙幣と第２金種の紙幣とに分類され、かつ、各金種の紙幣が正券と損券とに分類されることになる。
【００６１】
このように、制御部７０は、識別部５０が最初に識別した金種を、集積パターンで第１金種が割り当てられている集積部に割り当てる。識別部５０で、第１金種と異なる新たな金種、すなわちいずれの集積部４０にも未だ割り当てられていない２番目の金種が識別されると、制御部７０は、この２番目の金種を、集積パターンで第２金種が割り当てられている集積部に割り当てる。集積パターンが第３金種以降の金種を含む場合も同様に、制御部７０は、識別部５０で新たに識別された金種を順に集積部に割り当てる。
【００６２】
図５は、金種数及び新旧を指定して集積パターンを設定する際の画面例を示す図である。操作者は、３つの金種の新券を金種別に分けるため、図５に示すようにタブ１００を切り替えて、第３集積パターンを設定する。
【００６３】
３つの金種の紙幣を処理するため、操作者は、金種のチェックボックス１０１にチェックが入った状態で操作表示部２０の操作を開始して、金種数の入力枠１０２に金種数「３」を入力する。続いて新旧について設定するため、操作者は、新旧のチェックボックス１０８にチェックを入れる。これを受けて、制御部７０が、新旧の分類項目で選択可能な選択肢１０９を画面上に表示する。操作者は、新券を金種別に分類するため、選択肢１０９で新券のチェックボックスにチェックを入れる。
【００６４】
操作者による金種数、分類項目及び紙幣種別の指定操作が行われると、制御部７０が集積パターンを自動生成する。制御部７０は、３つの金種の紙幣を４つの集積部４０に分類して集積するため、第１集積部４０ａ及び第２集積部４０ｂに第１金種を割り当て、第３集積部４０ｃに第２金種を割り当て、第４集積部４０ｄに第３金種を割り当てる。この割り当てを示すため、制御部７０は、図５に示すように装置画像１０３の集積部４０を示す位置に、第１金種を示す「１ｓｔ」の文字と、第２金種を示す「２ｎｄ」の文字と、第３金種を示す「３ｒｄ」の文字とを表示する。
【００６５】
集積部４０への金種の割り当てを終えた制御部７０は、続いて新旧の割り当てを行う。新旧の紙幣種別については、新券のみを集積するよう指定されているため、制御部７０は、第１集積部４０ａ〜第４集積部４０ｄの全てに新券を割り当てる。この割り当てを示すため、制御部７０は、図５に示すように装置画像１０３の集積部４０を示す位置に、新券を示す「新」の文字を表示する。
【００６６】
金種数、分類項目、及び分類項目に含まれる紙幣種別の指定を終えた操作者は、画面上の装置画像１０３に表示されている集積パターンの設定内容を確認し、問題がなければ画面下部の設定ボタンを押す操作を行う。これを受けて、制御部７０は、図５に示すように第１集積部４０ａ〜第４集積部４０ｄのそれぞれに割り当てた金種及び紙幣種別の設定を、第３集積パターンとして設定する。また、制御部７０は、第３集積パターンを記憶部８０に保存することもできる（図７参照）。
【００６７】
第３集積パターンにより紙幣処理が開始されると、制御部７０は、識別部５０が最初に識別した新券の金種を、第１金種として、第１集積部４０ａ及び第２集積部４０ｂに割り当てる。この紙幣は、第１金種の紙幣として第１集積部４０ａに集積される。処理中に第１集積部４０ａが満杯になると、第１金種の新券の集積先が第２集積部４０ｂに変更され、これ以降、第１金種の新券は第２集積部４０ｂに集積されることになる。紙幣を順に処理する間に、識別部５０で、第１金種とは異なる２つめの金種の新券が得られると、制御部７０は、この金種を第２金種として、第３集積部４０ｃに割り当てる。この紙幣は、第２金種の紙幣として第３集積部４０ｃに集積される。紙幣を順に処理する間に、識別部５０で、第１金種及び第２金種とは異なる３つめの金種の新券が得られると、制御部７０は、この金種を第３金種として、第４集積部４０ｄに割り当てる。この紙幣は、第３金種の紙幣として第４集積部４０ｄに集積される。続いて処理される紙幣も、識別結果に応じて、対応するいずれかの集積部４０ａ〜４０ｄに集積される。集積部４０に集積できない紙幣は、リジェクト紙幣として、リジェクト部３０にリジェクトされる。この結果、紙幣処理装置１で処理された紙幣は、第１金種の新券、第２金種の新券及び第３金種の新券に分類して集積されることになる。
【００６８】
操作者が指定した金種数より集積部４０の数が多い場合、制御部７０は、１つの集積部に１つずつ第１金種、第２金種と順に金種を割り当てて、残った集積部に再び第１金種、第２金種と順に金種を割り当てるという動作を繰り返した状態となるように、同一金種を割り当てる集積部の数を決定する。複数集積部に同一金種を割り当てる場合、制御部７０は、隣接する集積部に同一金種を割り当てる。
【００６９】
例えば、４つの集積部に３つの金種を割り当てる場合、第１金種〜第３金種を各集積部に順に割り当てた後、残った集積部に再び第１金種〜第３金種を順に割り当てた状態となるように、制御部７０は、２つの集積部に同一金種（第１金種）を割り当てる。同一金種を割り当てた集積部の数が複数になると、制御部７０は、同一金種を割り当てた集積部が隣接するように、最初に第１金種を割り当てた第１集積部４０ａと、これに隣接する第２集積部４０ｂに第１金種を割り当てる。この結果、第３集積部４０ｃに第２金種、第４集積部４０ｄに第３金種が割り当てられ、図５に示す集積パターンが得られることになる。
【００７０】
紙幣種別の数より、同一金種を割り当てた集積部の数が多い場合にも、制御部７０は、金種の場合と同様に、各集積部に紙幣種別を割り当てる。具体的には、各集積部に紙幣種別を１種類ずつ順に割り当てて、残った集積部に再び紙幣種別を１種類ずつ順に割り当てる動作を繰り返した状態となるように、同一の紙幣種別を割り当てる集積部の数を決定する。複数集積部に同一の紙幣種別を割り当てる場合、制御部７０は、隣接する集積部に同一の紙幣種別を割り当てる。
【００７１】
このように、操作者が指定した金種数が集積部の数より少ない場合も、制御部７０は、複数集積部に同一金種を割り当てることにより、全ての集積部に金種を割り当てる。同様に、操作者が指定した紙幣種別の数が、同一金種を割り当てた集積部の数より少ない場合も、制御部７０は、複数集積部に同一の紙幣種別を割り当てることにより、全ての集積部に紙幣種別を割り当てる。
【００７２】
図６は、金種数、新旧及び正損を指定して集積パターンを設定する際の画面例を示す図である。操作者は、同一金種の紙幣を新券と旧券とに分けて、さらに新券及び旧券のそれぞれを正券と損券とに分けるため、図６に示すようにタブ１００を切り替えて第４集積パターンを設定する。
【００７３】
操作者は、金種のチェックボックス１０１にチェックが入った状態で操作表示部２０の操作を開始して、金種数の入力枠１０２に金種数「１」を入力する。続いて新旧について設定するため、操作者は、新旧のチェックボックス１０８にチェックを入れる。これを受けて、制御部７０が、新旧の分類項目で選択可能な選択肢１０９を画面上に表示する。操作者は、紙幣を新券と旧券に分類するため、選択肢１０９で新券のチェックボックス及び旧券のチェックボックスにチェックを入れる。
【００７４】
続いて正損について設定するため、操作者は、正損のチェックボックス１０６にチェックを入れる。これを受けて、制御部７０が、正損の分類項目で選択可能な選択肢１０７を画面上に表示する。紙幣を正券と損券に分類するため、操作者は、選択肢１０９で新券のチェックボックス及び旧券のチェックボックスにチェックを入れる。
【００７５】
操作者による金種数、分類項目及び紙幣種別の指定操作が行われると、制御部７０が集積パターンを自動生成する。制御部７０は、１つの金種の紙幣を４つの集積部４０に集積するため、第１集積部４０ａ〜第４集積部４０ｄに第１金種を割り当てる。この割り当てを示すため、制御部７０は、図６に示すように装置画像１０３の集積部４０を示す位置に、第１金種を示す「１ｓｔ」の文字を表示する。
【００７６】
新旧の分類項目については、同一金種を割り当てた４つの集積部４０で新券と旧券とを分類して集積する。このため、制御部７０は、第１集積部４０ａ及び第２集積部４０ｂに新券を割り当てて、第３集積部４０ｃ及び第４集積部４０ｄに旧券を割り当てる。この割り当てを示すため、制御部７０は、図６に示すように装置画像１０３の集積部４０を示す位置に、新旧の紙幣種別を示す「新」及び「旧」の文字を表示する。
【００７７】
正損の分類項目については、同一金種を割り当て、かつ、新旧の同一種別を割り当てた２つの集積部で、正券と損券とを分類して集積する。すなわち、新券を正券と損券とに分類して、旧券を正券と損券とに分類する。このため、制御部７０は、新券を割り当てた第１集積部４０ａに正券を割り当て、同じく新券を割り当てた第２集積部４０ｂに損券を割り当てる。制御部７０は、旧券を割り当てた第３集積部４０ｃに正券を割り当て、同じく旧券を割り当てた第４集積部４０ｄに損券を割り当てる。この割り当てを示すため、制御部７０は、図４に示すように装置画像１０３の集積部４０を示す位置に、正損の紙幣種別を示す「正」及び「損」の文字を表示する。
【００７８】
金種数、分類項目、及び分類項目に含まれる紙幣種別の指定を終えた操作者は、画面上の装置画像１０３に表示されている集積パターンの設定内容を確認し、問題がなければ画面下部の設定ボタンを押す操作を行う。これを受けて、制御部７０は、図６に示すように第１集積部４０ａ〜第４集積部４０ｄのそれぞれに割り当てた紙幣種別を、第４集積パターンとして設定する。また、制御部７０は、第４集積パターンを記憶部８０に保存することもできる（図７参照）。
【００７９】
第４集積パターンにより紙幣処理が開始されると、制御部７０は、識別部５０が最初に識別した紙幣の金種を、第１金種として、第１集積部４０ａ〜第４集積部４０ｄに割り当てる。この紙幣は、第１金種の紙幣として、識別部５０による新旧及び正損の識別結果に基づいて、対応するいずれかの集積部４０に集積される。続いて処理される紙幣も、識別結果に応じて、対応するいずれかの集積部４０ａ〜４０ｄに集積される。集積部４０に集積できない紙幣は、リジェクト紙幣として、リジェクト部３０にリジェクトされる。この結果、紙幣処理装置１で処理された紙幣は、第１金種の新券かつ正券である紙幣と、第１金種の新券かつ損券である紙幣と、第１金種の旧券かつ正券である紙幣と、第１金種の旧券かつ損券である紙幣とに分類されることになる。
【００８０】
図７は、図３〜図６に示す設定画面で設定した集積パターンを示す図である。制御部７０は、操作者による指定に基づいて設定した集積パターンを、図７に示すように、記憶部８０に保存して管理する。集積パターンの設定画面上部に表示されたタブ１００に対応する、第１集積パターン〜第４集積パターンを含む１０個の集積パターンが、記憶部８０で管理される。
【００８１】
図８に示すように、紙幣処理装置１は、基本モジュール（図１参照）に拡張モジュールを連結して、集積部、結束部等を増設可能な構造になっている。拡張モジュールを連結した場合も、操作者は、基本モジュール及び拡張モジュールの全ての集積部を対象として集積パターンを設定することができる。以下、拡張モジュールを連結して４つの集積部を増設した場合を例に、集積パターンの設定方法について具体的に説明する。
【００８２】
拡張モジュールを含む紙幣処理装置１の構成について説明する。図８は、基本モジュール１１に拡張モジュール１２を連結した紙幣処理装置１の例を示す模式図である。図８（ａ）は紙幣処理装置１の正面図を模式的に示す図である。図８（ｂ）は紙幣処理装置１の内部構造概略を示すブロック図である。図８（ａ）に示すように、拡張モジュール１２は、水平方向に並べて配置された第５集積部４０ｅ〜第８集積部４０ｈの４つの集積部を有する。図８（ｂ）に示すように、拡張モジュール１２内で、各集積部４０ｄ〜４０ｈが、搬送部１６０に接続されている。基本モジュール１１の搬送部６０が基本モジュール１１の右側面から排出した紙幣が、拡張モジュール１２内へ取り込まれて、搬送部１６０によって搬送される。基本モジュール１１に拡張モジュール１２を連結することにより、紙幣処理装置１は、８つの集積部４０（４０ａ〜４０ｈ）を有する装置として機能する。紙幣処理装置１は、取込部１０から紙幣を１枚ずつ取り込んで識別部５０で識別し、識別結果に基づいて、第１集積部４０ａ〜第８集積部４０ｈに種類別に分類して集積する。
【００８３】
基本モジュール１１に拡張モジュール１２を連結した場合、２つの方法で、集積パターンを設定することができる。第１の方法は、全ての集積部４０ａ〜４０ｈを対象として、金種数、分類項目及び紙幣種別を指定して集積パターンを設定する方法である。例えば、基本モジュール１１の集積部４０ａ〜４０ｄと、拡張モジュール１２の集積部４０ｅ〜４０ｈとを区別せず同様に利用する場合に、第１の方法で設定する。第２の方法は、基本モジュール１１の集積部４０ａ〜４０ｄを対象とする金種数、分類項目及び紙幣種別の指定と、拡張モジュール１２の集積部４０ｅ〜４０ｈを対象とする金種数、分類項目及び紙幣種別の指定とを別々に行って、集積パターンを設定する方法である。例えば、拡張モジュールが、集積部に所定枚数の紙幣を集積して結束する紙幣結束用のモジュールであるような場合に、第２の方法で設定する。第２の方法を利用すれば、基本モジュール１１とは別に、拡張モジュールで結束用紙幣用の設定を行うことができる。
【００８４】
第１の方法、第２の方法のいずれの方法を利用するかは、例えば、拡張モジュールの種類に応じて予め設定されている。制御部７０は、基本モジュール１１に連結された拡張モジュールの種類を認識して、対応する方法を利用して集積パターンの設定を開始する。また、例えば、制御部７０は、拡張モジュールに対応する方法を選択するよう操作表示部２０で操作者に操作を促し、操作者が選択した方法を利用して集積パターンの設定を開始する。
【００８５】
２つの金種の紙幣を基本モジュール１１と拡張モジュール１２とに分けて集積して、さらに各金種の紙幣を方向別に分類するものとして、図９を参照しながら第１の方法を説明し、図１０を参照しながら第２の方法を説明する。
【００８６】
図９は、拡張モジュール１２を含む全ての集積部４０ａ〜４０ｈを対象に集積パターンを設定する第１の方法の画面例を示す図である。操作者は、金種のチェックボックス１０１にチェックが入った状態で操作表示部２０の操作を開始して、金種数の入力枠１０２に金種数「２」を入力する。続いて方向について設定するため、操作者は、方向のチェックボックス１０４にチェックを入れる。これを受けて、制御部７０が、方向の分類項目で選択可能な選択肢１０５を画面上に表示する。操作者は、各金種の紙幣を方向別に分類するため、選択肢１０５でＡ方向、Ｂ方向、Ｃ方向及びＤ方向のチェックボックスにチェックを入れる。
【００８７】
操作者による金種数、分類項目及び紙幣種別の指定操作が行われると、制御部７０が集積パターンを自動生成する。制御部７０は、２つの金種の紙幣を８つの集積部４０に分類して集積するため、第１集積部４０ａ〜第４集積部４０ｂの４つの集積部に第１金種を割り当てて、第５集積部４０ｅ〜第８集積部４０ｈの４つの集積部に第２金種を割り当てる。この割り当てを示すため、制御部７０は、図９に示すように装置画像１０３の集積部４０を示す位置に、第１金種を示す「１ｓｔ」の文字と、第２金種を示す「２ｎｄ」の文字を表示する。
【００８８】
方向については、各金種の紙幣を表裏及び天地の方向別に分類するため、制御部７０は、第１金種を割り当てた第１集積部４０ａ〜第４集積部４０ｄにそれぞれＡ方向、Ｂ方向、Ｃ方向及びＤ方向を割り当てる。同様に、制御部７０は、第２金種を割り当てた第５集積部４０ｅ〜第８集積部４０ｈにそれぞれＡ方向、Ｂ方向、Ｃ方向及びＤ方向を割り当てる。この割り当てを示すため、制御部７０は、図９に示すように装置画像１０３の集積部４０を示す位置に、割り当てた方向を示す「Ａ」、「Ｂ」、「Ｃ」、「Ｄ」の文字を表示する。
【００８９】
制御部７０が設定した集積パターンを確認した操作者は、画面下部に表示された設定ボタンを押す操作を行う。これを受けて、制御部７０は、図９に示すように第１集積部４０ａ〜第８集積部４０ｈのそれぞれに割り当てた紙幣種別を、第１集積パターンとして設定する。また、制御部７０は、第１集積パターンを記憶部８０に保存することもできる（図１１参照）。
【００９０】
図１０は、モジュール別に金種数等を指定して集積パターンを設定する第２の方法の画面例を示す図である。集積パターンの設定操作を開始すると、図１０（ａ）に示すように、基本モジュール１１の設定画面が表示される。この設定画面には、基本モジュール１１の設定画面であることを示す情報１１０と、基本モジュール１１の外観を示す装置画像１０３とが表示される。
【００９１】
操作者は、金種のチェックボックス１０１にチェックが入った状態で操作表示部２０の操作を開始して、入力枠１０２に金種数を入力する。紙幣処理装置１で２つの金種の紙幣を金種別に集積するが、基本モジュール１１には同一金種の紙幣を集積するため、操作者は、金種数「１」を入力する。
【００９２】
続いて操方向について設定するため、操作者は、方向のチェックボックス１０４にチェックを入れる。これを受けて、制御部７０が、方向の項目で選択可能な選択肢１０５を画面上に表示する。操作者は、各金種の紙幣を方向別に分類するため、選択肢１０５でＡ方向、Ｂ方向、Ｃ方向及びＤ方向のチェックボックスにチェックを入れる。
【００９３】
操作者による金種数、分類項目及び紙幣種別の指定操作が行われると、制御部７０が集積パターンを自動生成する。制御部７０は、基本モジュール１１で同一金種の紙幣を方向別に分類して集積するため、基本モジュール１１の第１集積部４０ａ〜第４集積部４０ｄに第１金種を割り当て、それぞれにＡ方向、Ｂ方向、Ｃ方向、Ｄ方向を割り当てる。この割り当てを示すため、制御部７０は、図１０（ａ）に示すように装置画像１０３の集積部４０を示す位置に、第１金種を示す「１ｓｔ」の文字と、方向を示す「Ａ」、「Ｂ」、「Ｃ」、「Ｄ」の文字とを表示する。
【００９４】
基本モジュール１１の設定を終えた操作者が、画面下部に表示されたＯＫボタンを押す操作を行うと、画面上の表示が、図１０（ｂ）に示す拡張モジュール１２の設定画面に遷移する。この設定画面には、拡張モジュール１２の設定画面であることを示す情報１１１と、拡張モジュール１２の外観を示す装置画像１１３とが表示される。この画面で、画面下部の戻るボタンを押す操作を行うと、図１０（ａ）に示す基本モジュール１１の設定画面に戻るようになっている。
【００９５】
操作者は、金種のチェックボックス１０１にチェックが入った状態で操作表示部２０の操作を開始して、入力枠１０２に金種数を入力する。紙幣処理装置１で２つの金種の紙幣を金種別に集積するが、拡張モジュール１２には同一金種の紙幣を集積するため、操作者は、金種数「１」を入力する。
【００９６】
続いて方向について設定するため、操作者は、方向の項目のチェックボックス１０４にチェックを入れる。これを受けて、制御部７０が、方向の項目で選択可能な選択肢１０５を画面上に表示する。操作者は、各金種の紙幣を方向別に分類するため、選択肢１０５でＡ方向、Ｂ方向、Ｃ方向及びＤ方向のチェックボックスにチェックを入れる。
【００９７】
操作者による金種数、分類項目及び紙幣種別の指定操作が行われると、制御部７０が集積パターンを自動生成する。制御部７０は、拡張モジュール１２で同一金種の紙幣を方向別に分類して集積するため、拡張モジュール１２の第５集積部４０ａ〜第８集積部４０ｈに同一金種を割り当て、それぞれにＡ方向、Ｂ方向、Ｃ方向、Ｄ方向を割り当てる。このとき、基本モジュール１１の集積部４０に第１金種を割り当て済みであるため、制御部７０は、第５集積部４０ｄ〜第８集積部４０ｈに割り当てる金種を第２金種とする。この割り当てを示すため、制御部７０は、図１０（ｂ）に示すように装置画像１１３の集積部４０を示す位置に、第２金種を示す「２ｎｄ」の文字と、方向を示す「Ａ」、「Ｂ」、「Ｃ」、「Ｄ」の文字とを表示する。
【００９８】
拡張モジュール１２の設定を終えた操作者が、画面下部に表示されたＯＫボタンを押す操作を行うと、画面上の表示が、図１０（ｃ）に示す確認画面に遷移する。この画面で、画面下部にある戻るボタンを操作すると、図１０（ｂ）に示す拡張モジュール１２の設定画面に戻るようになっている。
【００９９】
図１０（ｃ）に示すように、確認画面には、基本モジュール１１及び拡張モジュール１２を含む紙幣処理装置１の外観を示す装置画像１２３が表示される。制御部７０は、装置画像１２３の集積部４０を示す位置に、図１０（ａ）及び図１０（ｂ）に示す設定画面で設定した内容を表示する。
【０１００】
操作者は、確認画面上に表示された集積パターンを確認し、設定を変更したい場合には、画面上の戻るボタンを操作して、金種数、分類項目、紙幣種別等の指定内容を変更することができる。操作者が、集積パターンに問題がないことを確認して画面下部にある設定ボタンを押す操作を行うと、制御部７０は、図１０（ｃ）に示すように第１集積部４０ａ〜第８集積部４０ｈのそれぞれに割り当てた紙幣種別を、第１集積パターンとして設定する。また、制御部７０は、第１集積パターンを記憶部８０に保存することもできる（図１１参照）。
【０１０１】
図１１は、図９及び図１０に示す設定画面で設定した集積パターンを示す図である。制御部７０は、操作者による操作に基づいて設定した第１集積パターンを、図１１に示すように、記憶部８０に保存して管理する。
【０１０２】
操作者が図１１に示す第１集積パターンを選択して紙幣処理を開始すると、制御部７０は、識別部５０が最初に識別した紙幣の金種を、第１金種として、基本モジュール１１の第１集積部４０ａ〜第４集積部４０ｄに割り当てる。この紙幣は、第１金種の紙幣として、識別部５０による方向の識別結果に基づいて、対応するいずれかの集積部４０ａ〜４０ｄに集積される。紙幣を順に処理する間に、識別部５０で、第１金種とは異なる２つめの金種の紙幣が得られると、制御部７０は、この金種を第２金種として、第５集積部４０ｅ〜第８集積部４０ｈに割り当てる。この紙幣は、第２金種の紙幣として、識別部５０による方向の識別結果に基づいて、対応するいずれかの集積部４０ｅ〜４０ｈに集積される。続いて処理される紙幣も、識別結果に応じて、対応するいずれかの集積部４０ａ〜４０ｈに集積される。集積部４０に集積できない紙幣は、リジェクト紙幣として、リジェクト部３０にリジェクトされる。この結果、基本モジュール１１の４つの集積部４０ａ〜４０ｄには第１金種の紙幣が方向別に分類して集積されて、拡張モジュール１２の４つの集積部４０ｅ〜４０ｈには第２金種の紙幣が方向別に分類して集積されることになる。
【０１０３】
紙幣処理装置１では、紙幣処理中に操作表示部２０で所定操作を行って、各種データをバックアップできるようになっている。図１２は、紙幣処理中に操作表示部２０に表示される画面例を示す図である。紙幣処理装置１で紙幣処理を開始すると、図１２（ａ）に示すように、画面上に、識別部５０で計数された紙幣の金額や枚数等の情報が表示される。この画面の右上部に、バックアップボタン２００が表示される。
【０１０４】
紙幣処理を行っている間に、紙幣処理装置１の動きがおかしい等の異常を感じた操作者は、操作表示部２０でバックアップボタン２００を押す操作を行う。これを受けて、制御部７０は、画面上に、図１２（ｂ）に示すウィンドウ２０１を表示する。操作者にバックアップボタン２００を押した理由を尋ねるため、ウィンドウ２０１内には、複数の理由が表示される。操作者は、ウィンドウ２０１でバックアップボタン２００を押した理由を選択した後、画面下部にあるＳｅｌｅｃｔボタンを押す。
【０１０５】
記憶部８０には、ウィンドウ２０１に表示する理由に対応して、バックアップするデータの種類を設定したバックアップ設定が保存されている。図１３は、バックアップ設定の例を示す図である。図１３に示す「バックアップ理由」の項目は、図１２（ｂ）に示すウィンドウ２０１に表示される項目に対応している。
【０１０６】
図１３に示す「設定」の項目は、紙幣処理装置１の設定内容を示している。「処理内容」の項目は、紙幣処理装置１で実行中紙幣処理の内容を示している。「センサ信号」の項目は、搬送路で紙幣を検知するために設けられた搬送路センサ等、各センサの出力信号を示している。「紙幣処理枚数」の項目は、紙幣処理装置１で処理された紙幣枚数を示している。「通信ログ」の項目は、紙幣処理装置１と外部装置との間で行われた通信のログデータを示している。「識別データ」の項目は、識別部５０の各センサで得られた識別用のデータを示している。
【０１０７】
操作者がバックアップボタン２００を押して、ウィンドウ２０１で理由を選択すると、制御部７０は、選択された理由と、図１３に示すバックアップ設定とに基づいて、データのバックアップを実行する。
【０１０８】
例えば、紙幣処理装置１の動作がおかしいと感じた操作者は、バックアップボタン２００を押してウィンドウ２０１で理由を選択する。制御部７０は、バックアップ設定を参照し、選択された理由に対応する、設定、処理内容、センサ信号、紙幣処理枚数、通信ログのデータを記憶部８０にバックアップする。いつもとは異なり紙幣が誤って計数されると感じた操作者は、バックアップボタン２００を押してウィンドウ２０１で理由を選択した場合は、制御部７０は、設定、処理内容、センサ信号、紙幣処理枚数、識別データのデータを記憶部８０にバックアップする。バックアップボタン２００を押してデータのバックアップを行うと、搬送路センサの出力信号波形、識別部５０の各センサの出力信号波形等、通常は、紙幣処理後に失われてしまうデータを記憶部８０に保存して残すことができる。
【０１０９】
バックアップボタン２００を押した後、制御部７０によるバックアップ処理が実行されるが、これと並行して、紙幣処理装置１で実行中の紙幣処理を継続することができる。これにより、紙幣処理装置１の利用を終えた後、記憶部８０に保存されたバックアップデータを参照して、紙幣処理装置１の状態を詳細に確認し、清掃、修理、部品交換等、必要な対応をとることができる。
【０１１０】
上述してきたように、本実施形態に係る紙幣処理装置によれば、操作者は、金種数と、紙幣を分類するための分類項目及び紙幣種別とを指定するだけで集積パターンを設定することができる。操作者が指定した条件と、紙幣処理装置が有する集積部の数とに基づいて、制御部が、各集積部に割り当てる紙幣の種類を自動的に設定して集積パターンを生成する。これにより、操作者は、集積パターンを容易に設定することができる。
【産業上の利用可能性】
【０１１１】
以上のように、本発明に係る紙葉類処理装置は、複数集積部のそれぞれに集積する紙葉類の種類を容易に設定するために有用である。
【符号の説明】
【０１１２】
１  紙幣処理装置
１０  取込部
１１  基本モジュール
１２  拡張モジュール
２０  操作表示部
３０  リジェクト部
４０（４０ａ〜４０ｈ）  集積部
５０  識別部
６０、１６０  搬送部
７０  制御部
８０  記憶部
【図１】
2018018441.tif 000003
【図２】
2018018441.tif 000004
【図３】
2018018441.tif 000005
【図４】
2018018441.tif 000006
【図５】
2018018441.tif 000007
【図６】
2018018441.tif 000008
【図７】
2018018441.tif 000009
【図８】
2018018441.tif 000010
【図９】
2018018441.tif 000011
【図１０】
2018018441.tif 000012
【図１１】
2018018441.tif 000013
【図１２】
2018018441.tif 000014
【図１３】
2018018441.tif 000015